(57)【要約】【課題】  システムの機能の大部分を外部装置に依存する形で表示装置だけを単独の装置あるいは機器として利用する表示装置において、利便性の優れた表示装置を提供する。【解決手段】  文字コード入力部１５は、外部より入力された文字コード情報をフォント変換部１７と音声合成部１９とに出力する。フォント変換部１７では、入力された文字コードを対応するフォントに変換して映像信号入力部１４を介して表示駆動部１２・１３に送り、表示部１ａに表示させる。一方、音声合成部１９では、入力された文字コードを対応する音声データに変換し、音声デバイス２１へと送り、音声デバイス２より音声出力させる。【選択図】  図１
2005202801.tif 000002
【特許請求の範囲】
【請求項１】
表示部と、
音声出力部と、
装置外部から文字コードが入力される文字コード入力部と、
文字コードに対応する文字を上記表示部に表示する表示制御部と、
文字コードに対応する音声を上記音声出力部より出力する音声出力制御部とを備え、
上記文字コード入力部は、入力された文字コードを上記表示制御部と上記音声出力制御部とに出力し、入力された文字コードに対応する文字が上記表示部に表示されると共に、入力された文字コードに対応する音声が上記音声出力部から出力されることを特徴とする表示装置。
【請求項２】
装置外部から映像信号が入力される映像信号入力部を備え、
上記表示制御部は、上記映像信号入力部に入力された映像信号に基づく映像を上記表示部に表示すると共に、上記文字コードに対応する文字を該映像に重畳させて表示することを特徴とする請求項１に記載の表示装置。
【請求項３】
上記表示部は、複数列設された走査線と、該複数の走査線に交差するように複数列設された信号線とを有し、
上記表示制御部は、上記表示部を駆動する表示部駆動回路として、上記複数の走査線に走査信号を順次供給する走査線駆動回路と、上記複数の信号線に映像信号を供給する信号線駆動回路とを有し、かつ、該信号線駆動回路が、上記映像信号入力部に入力された映像信号が入力される第１信号線駆動回路と、上記文字コードに対応する文字を表示させるための映像信号が入力される第２信号線駆動回路とで構成され、これら第１信号線駆動回路と第２信号線駆動回路とは、上記複数の信号線を共有していることを特徴とする請求項２に記載の表示装置。
【請求項４】
上記表示部は薄膜素子で駆動可能な表示素子にて構成され、
該表示素子に含まれる、画素駆動用回路素子が形成される薄膜基板に、上記文字コード入力部、上記表示制御部、及び上記音声出力制御部が、直接形成されているか、或いは別基板上に形成した能動素子を貼り合わせることで形成されていることを特徴とする請求項１に記載の表示装置。
【請求項５】
上記表示部は薄膜素子で駆動可能な表示素子にて構成され、
該表示素子に含まれる、画素駆動用回路素子が形成される薄膜基板に、上記文字コード入力部、上記映像信号入力部、上記表示制御部、及び上記音声出力制御部が、直接形成されているか、或いは別基板上に形成した能動素子を貼り合わせることで形成されていることを特徴とする請求項２又は３に記載の表示装置。
【請求項６】
表示部と、
音声出力部と、
装置外部から映像信号が入力される映像信号入力部と、
映像信号に基づいて映像を上記表示部に表示する表示制御部と、
映像信号に含まれる文字を抽出して認識し、文字コードに変換する文字認識部と、
文字コードに対応する音声を上記音声出力部より出力する音声出力制御部とを備え、
上記映像信号入力部は、入力された映像信号を上記表示制御部と上記文字認識部とに出力する一方、上記文字認識部は文字コードを音声出力制御部に出力し、入力された映像信号に基づく映像が上記表示部に表示されると共に、上記映像信号に含まれ、上記文字認識部にて認識された文字コードに対応する音声が上記音声出力部から出力されることを特徴とする表示装置。
【請求項７】
上記表示部は薄膜素子で駆動可能な表示素子にて構成され、
該表示素子に含まれる、画素駆動用回路素子が形成される薄膜基板に、上記映像信号入力部、上記表示制御部、上記文字認識部、及び上記音声出力制御部が、直接形成されているか、或いは別基板上に形成した能動素子を貼り合わせることで形成されていることを特徴とする請求項６に記載の表示装置。
【請求項８】
上記音声出力部を構成する音源素子は、上記表示部を構成する表示素子の平面領域内に収まるように積層して配され、上記表示素子を振動させて音を発生させることを特徴とする請求項４、５又は７の何れかに記載の表示装置。
【請求項９】
上記音源素子を駆動する音源素子駆動部も、上記薄膜基板に、直接形成されているか、或いは別基板上に形成した能動素子を貼り合わせることで形成されていることを特徴とする請求項８に記載の表示装置。
【請求項１０】
上記薄膜基板は、多結晶珪素薄膜を含む薄膜層を有することを特徴とする請求項４、５又は７に記載の表示装置。
【請求項１１】
上記薄膜基板は、連続粒界結晶珪素薄膜を含む薄膜層を有することを特徴とする請求項４、５又は７に記載の表示装置。
【請求項１２】
上記薄膜基板への別基板に形成した能動素子の貼り付けは、該能動素子を含む上記別基板が水素イオン注入部を有しており、該水素イオン注入部が形成された上記別基板を上記薄膜基板に貼り合わせた後、該別基板を熱処理することでなされていることを特徴とする請求項４、５、７又は９に記載の表示装置。
【請求項１３】
上記表示部が液晶を用いて表示を行うことを特徴とする請求項１〜１２のいずれかに記載の表示装置。
【請求項１４】
上記表示部がＥＬ層を用いて表示を行うことを特徴とする請求項１〜１２のいずれかに記載の表示装置。
【発明の詳細な説明】
【技術分野】
【０００１】
本発明は、文字コードからなる文字コード情報や映像信号に基づいて文字や映像を表示する表示装置に関し、より詳細には、外部装置をホストとするクライアント機器の表示装置に関するものである。
【背景技術】
【０００２】
表示装置は、文字コード情報に基づいて文字を表示したり、映像信号に基づいて映像を表示したりするものであるが、従来の表示装置では、主たる情報処理を行う機能までが一体化して備えられており、該情報処理機能を用いて、文字コード情報に基づく文字を表示するための処理や、映像信号に基づく映像を表示するための処理を行っている。
【０００３】
また、表示装置を有する各種装置として、例えば特許文献１には、キーボードより入力される文字を表示部に表示すると共に、対応する音声に変換して音声出力する文書処理装置が記載されている。また、特許文献２に、文書データを読み出して、表示部に表示しながら音声に変換して出力する文章読み上げ装置が記載され、特許文献３には、画像より文字画像を切り出し、これを認識して文字コードに変換し、音声合成部にてこの文字コードを音声に変換して音声出力する読書処理装置が記載されている。
【０００４】
これら特許文献１〜３に記載されている各種装置も全て、情報処理機能が一体に備えられており、該情報処理機能を用いて、文字を音声に変換して出力する処理を行うようになっている。
【０００５】
一方、近年、小型・軽量・薄型の表示素子が登場し、これを用いて、外部機器より画像を取り込んで表示する機能をもった携帯型の表示装置が製品化されつつある。このような携帯型の表示装置においては、一般的なクレジットカードや名刺などと同程度のカードサイズ化が望まれており、本願出願人は、先に、特許文献４において、音声機能付きでカードサイズ化を実現する構成を提案している。これにおいては、外部装置より入力される音声信号に基づいて表示素子を構成する基板自体を振動させて音を発生させ、表示装置を大型化することなくスピーカ機能を実現している。
【特許文献１】実開昭６２−２０１８５０号公報（昭和６２年１２月２３日公開）
【特許文献２】特開平２−１６５３２４号公報（平成２年６月２６日公開）
【特許文献３】特開平４−２４８８５号公報（平成４年１月２８日公開）
【特許文献４】特開２００３−２４４７８４号公報（平成１５年８月２９日公開）
【特許文献５】特開平１１−１７１０７号公報（平成１１年１月２２日公開）
【特許文献６】特開２０００−１８７４７０号公報（平成１２年７月４日公開）
【特許文献７】特開２００３−１０８０７９号公報（平成１５年４月１１日公開）
【特許文献８】特開２００２−３２０４８号公報（平成１４年１月３１日公開）
【非特許文献１】日経エレクトロニクス（２００３，２，１７）  ｐ．１２３−１３０
【発明の開示】
【発明が解決しようとする課題】
【０００６】
近年のネットワークインフラやサービスの発展により、主たる情報処理を行う機能までを常に一体化して備えているのではなく、ホストという形で外部装置（外部機器）として切り離し、クライアント、特にシン・クライアントと呼ばれる、システムの機能の大部分を外部装置（サーバ）に依存する形で表示装置だけを単独の装置あるいは機器として利用することで、携帯性を確保し、利用範囲と用途を拡充することが求められてきている。
【０００７】
そして、本願出願人が先に提案している、音声機能付きのカードサイズの表示装置を実現する発明も、これを後押しするものであり、このような構成を採用することで、優れた形態性を有する表示装置も実現可能となる。
【０００８】
ここで、次に課題となるのが、クライアント機器である表示装置側にどのような機能を具備させるかといったことであり、本願発明はこの点に着目して成されたものである。
【課題を解決するための手段】
【０００９】
本願出願人は、クライアント機器である表示装置側にどのような機能を具備させるかについて鋭意検討した結果、表示装置側に文字を認識し、認識した文字を音声として出力する機能を具備させ、外部装置より文字コード情報或いは映像信号として入力され、本来であれば文字として視覚を用いてのみ確認される情報を、音声の情報として聴覚を用いても確認できるようにすることで、目の不自由なユーザにも利用できるようになり、クライアント機器としての表示装置において、非常に利便性の高いものとなることを見出した。
【００１０】
本発明の第１の表示装置は、上記課題を解決するために、表示部と、音声出力部と、装置外部から文字コードが入力される文字コード入力部と、文字コードに対応する文字を上記表示部に表示する表示制御部と、文字コードに対応する音声を上記音声出力部より出力する音声出力制御部とを備え、上記文字コード入力部は、入力された文字コードを上記表示制御部と上記音声出力制御部とに出力し、入力された文字コードに対応する文字が上記表示部に表示されると共に、入力された文字コードに対応する音声が上記音声出力部から出力されることを特徴としている。
【００１１】
これによれば、文字コード入力部は、外部より入力された文字コードを、表示制御部だけでなく音声出力制御部にも出力し、表示制御部による動作で、入力された文字コードに対応する文字が表示部に表示されると共に、音声出力制御部による動作で、入力された文字コードに対応する音声、つまり、表示部に表示されている文字を読み上げた音声が音声出力部からも出力されることとなる。
【００１２】
したがって、ユーザ（利用者）は、外部からの文字コード情報の入力だけで、文字コード情報として入力された情報内容を、文字による情報表示に加えて、その表示を読み上げた音声情報としても聞くことができ、視覚と同時に聴覚を用いて確認することができる。特に、目の不自由なユーザにとっては、従来、文字コード情報を出力する側の外部装置が、文字コード情報と共にこれに対応する音声信号を出力する構成でない限り、この外部装置から文字コード情報として入力される情報の内容を確認することはできなかったが、上記構成により、外部装置からの出力が文字コード情報のみであっても、それに示される情報の内容を音声情報としても確認することができるので、情報を取得可能な外部装置の幅が広がることとなる。
【００１３】
そして、このような表示装置としての利便性の向上は、表示装置側での対応のみで実現でき、文字コード情報を出力する側の外部装置においては何らの変更を伴うものではないので、文字コードを出力可能な外部装置であれば、従来からの装置をそのまま使用して上記効果を得ることができ、汎用性に優れている。
【００１４】
本発明の第１の表示装置は、上記構成に加えて、さらに、装置外部から映像信号が入力される映像信号入力部を備え、上記表示制御部は、上記映像信号入力部に入力された映像信号に基づく映像を上記表示部に表示すると共に、上記文字コードに対応する文字を該映像に重畳させて表示することを特徴とすることもできる。
【００１５】
これによれば、表示部には、映像信号入力部に入力された映像信号に基づく映像が表示され、文字コードに対応する文字画像は該映像に重畳（スーパーインポーズ）表示されるようになっているので、映像の表示も楽しむことができ、より利便性の高い表示装置となる。
【００１６】
また、スーパーインポーズ表示する場合、上記表示部が、複数列設された走査線と、該複数の走査線に交差するように複数列設された信号線とを有し、上記表示制御部が、上記表示部を駆動する表示部駆動回路として、上記複数の走査線に走査信号を順次供給する走査線駆動回路と、上記複数の信号線に映像信号を供給する信号線駆動回路とを有し、かつ、該信号線駆動回路が、上記映像信号入力部に入力された映像信号が入力される第１信号線駆動回路と、上記文字コードに対応する文字を表示させるための映像信号が入力される第２信号線駆動回路とで構成され、これら第１信号線駆動回路と第２信号線駆動回路とは、上記複数の信号線を共有している構成とすることが好ましい。
【００１７】
外部からの映像信号による画像と、表示装置内で生成した文字コードに対応する文字の画像とを、一つの画像情報に再構成して合成画面の映像信号を生成し、これを信号線駆動回路に出力して、走査線駆動回路との動作で表示部にスーパーインポーズ表示する構成では、画像の合成のために、大容量のメモリ及びＡ/Ｄ変換回路やＤ/Ａ変換回路等が必要になり、クライアント機器として、表示装置だけを単独の装置あるいは機器として利用することで確保した良好な携帯性を阻害する恐れがある。
【００１８】
これに対し、このように、信号線駆動回路を、上記映像信号入力部に入力された映像信号が入力される第１信号線駆動回路と、上記文字コードに対応する文字を表示させるための映像信号が入力される第２信号線駆動回路とで構成し、これら第１信号線駆動回路と第２信号線駆動回路とが、上記複数の信号線を共有する構成とすることで、外部からの映像信号による画像と、表示装置内で生成した文字コードに対応する文字の画像とを、一つの画像情報に再構成する必要がなくなり、上記した大容量メモリ等が必要なく、スーパーインポーズ表示を行うために必要な付加回路を低減することができ、クライアント機器として表示装置だけを単独の装置あるいは機器として利用することで確保した良好な携帯性が阻害されることがない。
【００１９】
本発明の第２の表示装置は、上記課題を解決するために、表示部と、音声出力部と、装置外部から映像信号が入力される映像信号入力部と、映像信号に基づいて映像を上記表示部に表示する表示制御部と、映像信号に含まれる文字を抽出して認識し、文字コードに変換する文字認識部と、文字コードに対応する音声を上記音声出力部より出力する音声出力制御部とを備え、上記映像信号入力部は、入力された映像信号を上記表示制御部と上記文字認識部とに出力する一方、上記文字認識部は文字コードを音声出力制御部に出力し、入力された映像信号に基づく映像が上記表示部に表示されると共に、上記映像信号に含まれ、上記文字認識部にて認識された文字コードに対応する音声が上記音声出力部から出力されることを特徴としている。
【００２０】
これによれば、映像信号入力部が、外部より入力された映像信号を、表示制御部だけでなく文字認識部にも出力し、文字認識部が映像信号に含まれる文字を抽出して認識し、文字コードに変換する。そして、変換された文字コードが音声制御部に出力されることとなる。したがって、表示制御部による動作にて、入力された映像信号に基づく映像が表示部に表示されると共に、音声制御部による動作にて、表示されている映像中に含まれる文字を読み上げた音声が音声出力部からも出力されることとなる。
【００２１】
したがって、ユーザ（利用者）は、外部からの映像信号の入力だけで、映像信号中に含まれる文字にて示される情報の内容を、文字による情報表示に加えて、その表示を読み上げた音声情報としても聞くことができ、視覚と同時に聴覚を用いて確認することができる。特に、目の不自由なユーザにとっては、従来、映像信号を出力する側の外部装置が、映像信号中の文字部分の情報を、音声信号に変換して出力する構成でない限り、この外部装置からの映像信号中の文字にて示される情報内容を確認することはできなかったが、上記構成により、外部装置からの出力が映像信号のみであっても、それに含まれる文字にて示される情報内容を音声情報としても確認することができるので、情報を取得可能な外部装置の幅が広がることとなる。
【００２２】
そして、このような表示装置としての利便性の向上は、表示装置側での対応のみであって、映像信号を出力する側の外部装置においては何らの変更を伴うものではないので、映像信号を出力可能な外部装置であれば、従来からの装置をそのまま使用して上記効果を得ることができ、汎用性に優れている。
【００２３】
また、本発明の第１の表示装置は、上記構成に加えて、さらに上記表示部は薄膜素子で駆動可能な表示素子にて構成され、該表示素子に含まれる、画素駆動用回路素子が形成される薄膜基板に、上記文字コード入力部、表示制御部、及び音声出力制御部が、直接形成されているか、或いは別基板上に形成した能動素子を貼り合わせることで形成されていることを特徴とすることもできる。また、映像信号入力部が設けられている場合は、この映像信号入力部も同様に、上記薄膜基板に、直接形成されているか、或いは別基板上に形成した能動素子を貼り合わせることで形成されていることを特徴とすることもできる。
【００２４】
これによれば、表示素子に含まれる、画素駆動用回路素子が形成される薄膜基板に、文字コード入力部、表示制御部、及び音声出力制御部等が、直接に、或いは別基板上に形成した能動素子を貼り合わせることで形成されるので、表示制御部や音声出力制御部等が互いに別々のプリント基板等に形成されている構成に比して、音声出力部を備えた表示装置として大型化することを防ぎ、文字コード入力による文字の表示とこれに対応する音声の出力とを実現させることができる。
【００２５】
同様に、本発明の第２の表示装置は、上記構成に加えて、さらに、上記表示部は薄膜素子で駆動可能な表示素子にて構成され、該表示素子に含まれる、画素駆動用回路素子が形成される薄膜基板に、上記映像信号入力部、表示制御部、文字認識部、及び音声出力制御部が、直接形成されるか、或いは別基板上に形成した能動素子を貼り合わせることで形成されていることを特徴とすることもできる。
【００２６】
これによっても、上記と同様に、表示制御部や文字認識部、音声出力制御部等が互いに別々のプリント基板等に形成されている構成に比して、音声出力部を備えた表示装置として大型化することを防ぎ、入力された映像信号による映像の表示と、映像中に含まれる文字に対応する音声の出力とを実現させることができる。
【００２７】
そして、上記薄膜基板への別基板に形成した能動素子の貼り付けは、該能動素子を含む上記別基板が水素イオン注入部を有しており、該水素イオン注入部が形成された上記別基板を上記薄膜基板に貼り合わせた後、該別基板を熱処理することでなされていることが好ましい。
【００２８】
このような水素イオン注入部を形成して剥離する水素イオン剥離法を用いた貼り合わせは、能動素子を別基板上に形成し、これを接着剤を用いて貼りあわせる方法に比べて、面倒な貼り付け作業も必要なく生産性に優れ、また、接着剤を用いないので、接着剤の耐熱性が問題となることもなく、簡単に別基板上に形成した能動素子を貼り付けることができる。
【００２９】
本発明の第１、第２の表示装置は、上記構成に加えて、さらに、上記音声出力部を構成する音源素子は、上記表示部を構成する表示素子の平面領域内に収まるように積層して配され、上記表示素子を振動させて音を発生させ、また、該音源素子を駆動する音源素子駆動部も、上記薄膜基板に、直接に形成するか、或いは別基板上に形成した能動素子を貼り合わせることで形成されていることを特徴とすることもできる。
【００３０】
これによれば、音声出力部を構成する音源素子は表示素子を振動させることで音を発生させ、かつ、本来であれば別基板を用いて構成される音源素子駆動部を、表示素子に含まれる薄膜基板に形成することで音声機能部全体をも小型にし、該音源素子を、上記表示部を構成する表示素子の平面領域内に収まるように積層して配しているので、表示機能のみを有する表示装置としての外形を著しく崩すことなく、音源素子を表示素子に搭載することが可能となる。
【００３１】
この場合も、上記薄膜基板への別基板に形成した能動素子の貼り付けは、該能動素子を含む上記別基板が水素イオン注入部を有しており、該水素イオン注入部が形成された上記別基板を上記薄膜基板に貼り合わせた後、該別基板を熱処理することでなされていることが好ましい。
【００３２】
また、本発明の第１、第２の表示装置においては、薄膜基板として、多結晶珪素薄膜を含む薄膜層を有するもの、連続粒界結晶珪素薄膜を含む薄膜層を有するものを用いることができる。また、第１、第２の表示装置においては、表示部として、液晶を用いて表示を行うもの、或いは、ＥＬ層を用いて表示を行うものを採用することができる。
【発明の効果】
【００３３】
本発明の第１の表示装置は、以上のように、文字コード入力部が、入力された文字コードを表示制御部と音声出力制御部とに出力し、入力された文字コードに対応する文字が表示部に表示されると共に、入力された文字コードに対応する音声が音声出力部から出力される構成である。
【００３４】
これにより、外部から文字コード情報として入力される文字にて示される情報を、文字コード情報を出力する側の装置である外部装置側には何らの変更を及ぼすことなく、表示を用いた本来の視覚による確認に加えて音声を用いた聴覚による確認も可能な、汎用性に優れると共に、利便性の高い表示装置を提供することができるという効果を奏する。
【００３５】
本発明の第２の表示装置は、以上のように、映像信号入力部は、入力された映像信号を表示制御部と文字認識部とに出力する一方、文字認識部は文字コードを音声出力制御部に出力し、入力された映像信号に基づく映像信号が表示部に表示されると共に、映像信号に含まれ、文字認識部にて認識された文字コードに対応する音声が音声出力部から出力される構成である。
【００３６】
これにより、外部から映像信号中に含まれて映像の一部として入力される文字にて示される情報を、映像信号を出力する側の装置である外部装置側には何らの変更を及ぼすことなく、表示を用いた本来の視覚による確認に加えて音声を用いた聴覚による確認も可能な、汎用性に優れると共に、利便性の高い表示装置を提供することができるという効果を奏する。
【発明を実施するための最良の形態】
【００３７】
本発明に係る第１の表示装置は、文字コード情報を出力する外部装置の文字コード出力部と本装置における文字コード入力部とを有線、或いは無線にて接続することで、外部装置より文字コード情報を本装置内に取り込んで文字表示を行うと共に、該文字コード情報に対応する音声をも発生して出力することが可能な表示装置である。
【００３８】
また、本発明に係る第２の表示装置は、映像信号を出力する外部装置の映像信号出力部と本装置における映像信号入力部とを有線、或いは無線にて接続することで、外部装置より映像信号を本装置内に取り込んで映像表示を行うと共に、映像に文字が含まれる場合は、その文字に対応する音声をも発生して出力することが可能な表示装置である。
【００３９】
以下、これら本発明に係る第１、第２の各表示装置について、図を参照しながら具体的に説明する。
【００４０】
［実施の形態１］
本発明に係る実施の一形態について図１ないし図６に基づいて説明すると以下の通りである。
【００４１】
まず、図２及び図３を用いて、本発明の第１の実施の形態である表示装置３０の構成部材について説明する。図２は、本発明の第１の実施の形態である表示装置３０の部材構成を示す構成図であり、図３は、表示装置３０の外観図である。
【００４２】
本表示装置３０は、図２に示すように、表示部を構成する表示素子である液晶パネル１と音声デバイス（音声出力部、音源素子）２とを備えている。液晶パネル１は、後述する表示部駆動部等が、液晶パネル１を構成する基板上にモノリシック形成された、駆動部一体型の表示素子である。
【００４３】
液晶パネル１は、本表示装置３０に接続される外部装置より入力される文字コード情報に基づいて文字よりなる情報を表示部１ａに表示する。また、本表示装置３０では、本表示装置３０に接続される外部装置より入力される映像信号に基づいた映像も表示部１ａ表示するようになっている。但し、映像の表示は、必ずしも必要なものではない。
【００４４】
また、ここで、映像信号を出力する外部装置と、文字コード情報を出力する外部装置とは、同じである必要はなく、別々の装置であってもよい。外部装置との接続形態や取り扱う信号の組み合わせについては、本表示装置３０が適用される通信方式または標準規格などに規定される、取り扱えるデータの形式や、接続端子の規格などによって多様に適応しうるものであり、本発明はそれらの方式や規格を規定もしくは制限するものではない。
【００４５】
液晶パネル１は、ガラス等の透明な一対基板１０・１１間に液晶が挟持された構成である。このうち、基板１０は、基材となるガラス基板における他方の基板１１との対向面に、多結晶珪素（ポリシリコン）薄膜を含む薄膜層を有した薄膜基板であり、該薄膜層を用いて表示領域１ａにある画素駆動用ＴＦＴ（薄膜トランジスタ）等の薄膜素子が形成されているものである。上述した表示部駆動部も、この基板１０上に形成されている。以下、これを薄膜基板１０とする。一方、基板１１は、ガラス基板における薄膜基板１０との対向面に、ＩＴＯ等の透明導電膜からなる共通電極が形成されたもので、対向基板１１と称する。
【００４６】
音声デバイス２は、例えばロッシェル塩の結晶やセラミックの薄板からなる圧電素子を用いたり、通常のボイルコイルスピーカを用いたりすることができる。そして、音声デバイス２は、液晶パネル１を振動させることで音を発生するようになっている。
【００４７】
これら液晶パネル１と音声デバイス２とは、図３にも示すように、液晶パネル１を背面より覆い、表示に寄与する表示領域１ａに相当する箇所に開口部を有するベゼル３内部に収容されている。
【００４８】
ここで、音声デバイス２は、液晶パネル１における表示部１ａ周囲の周縁部１ｂ部分に位置するように配置されている。この周縁部１ｂが、本表示装置３０における額縁部に相当し、このような位置に音声デバイス２を配置することで、額縁部サイズが音声デバイス２のために大きくなることを回避できる。この位置であれば、音声デバイス２は、液晶パネル１側に固定されていても、ベゼル３側に固定されていてもよい。音声デバイス２は周辺部１ｂの表面側に配置されていても背面側に配置されていてもよい。また、液晶パネル１が反射型である場合は、音声デバイス２を、本表示装置３０の背面側となる液晶パネル１の裏面側に配することも可能である。
【００４９】
図１に、本表示装置３０の機能ブロック図を示す。本表示装置３０は、機能的には、表示部１ａと、表示部駆動回路である表示部駆動部１２・１３と、映像信号入力部１４と、文字コード入力部１６と、フォント変換部１７と、フォントメモリ１８と、音声合成部１９と、音声データメモリ２０と、音声デバイス駆動部２１と、接続端子部１５と、音声デバイス２とからなる。
【００５０】
接続端子部１５は、外部装置との接続を可能とするものである。映像信号入力部１４は、様々な外部装置からの映像信号の入力を受け付けるものであり、該映像信号入力部１４には、映像信号と共にその制御信号も入力されるようになっている。
【００５１】
表示部駆動部（走査線駆動回路）１２は、表示部１ａにおける複数の走査線ＧＬ…を駆動するもので、表示部駆動部１２には、該映像信号入力部１４を介して走査線駆動のためのゲートクロック・ゲートスタートパルス等の制御信号が入力される。
【００５２】
表示部駆動部（信号線駆動回路）１３は、表示部１ａにおける複数の信号線ＳＬ…を駆動するもので、表示部駆動部１３には、該映像信号入力部１４を介して映像信号と共に、ソースクロック・ソーススタートパルス等の制御信号が入力される。
【００５３】
また、上記映像信号入力部１４には、後述するフォント変換部１７より入力されるフォントデータも入力されるようになっており、映像信号入力部１４は、フォントデータが入力されると、フォントデータを映像信号に合成して表示部駆動部１３に出力するようになっている。
【００５４】
表示部駆動部１２・１３は、映像信号入力部１４より入力される映像信号や、制御信号を処理して、表示部１ａを駆動し、映像を表示するものである。そして、表示部駆動部１２・１３により、映像信号と共にフォントデータが入力された場合は、映像信号による主たる映像に、フォントデータによる映像を重畳（スーパーインポーズ）して表示するようになっている。
【００５５】
文字コード入力部１６は、様々な外部装置からの文字コード（例えば、ASCII：American Standard Code for Information Interchange）の入力を受け付けるものであり、入力された文字コードを、フォント変換部１７と音声合成部１９とに送るようになっている。フォント変換部１７は、文字コード入力部１６より入力された文字コードに対応するフォントを表示部１ａに表示するために、文字コードに対応したフォントデータをフォントメモリから抽出して、映像信号入力部１４へと送るようになっている。
【００５６】
音声合成部１９は、文字コード入力部１６より入力された文字コードに対応する音声を音声デバイス２から出力するために、文字コードに対応した音声データ素片を音声データメモリから抽出して適切な接続編集などを行い、音声デバイス駆動部（音源素子駆動部）２１に送るようになっている。音声データメモリ２０は音声合成部１９が発声機構モデル化による規則合成のみから構成できる場合は無くてもよい。音声デバイス駆動部２１は、音声合成部２１より入力された音声データを処理して、音声デバイス２を駆動するものである。
【００５７】
ここでは、表示部駆動部１２・１３、フォント変換部１７、フォントメモリ１８、及び映像信号入力部１４にて表示制御部が構成され、音声合成部１９及び音声データメモリ２０にて音声出力制御部が構成されている。
【００５８】
図４に、このような構成を有する本表示装置３０が外部装置とで構成するシステム全体の構成図を示す。図中、３１が少なくとも文字コード出力部を備えた外部装置である。外部装置３１としては、キーボードや、さん孔媒体（テープ、カードなど）読みとり機、磁気媒体読みとり機、光学媒体読みとり機（円盤媒体、汎用スキャナなどを含む）、光学文字読みとり機（ＯＣＲ）、放送受信機、通信機（業務無線機、加入電話機、携帯電話などを含む）、文書編集機、電子書籍情報表示器（辞書検索専用機などを含む）インターネット放送通信用セットトップボックスなどがあり、外部装置３１が例えば別の当該外部装置専用の表示装置を具備していてもよく、文字コード出力部を備えた文字コード出力装置でさえあればよい。
【００５９】
本表示装置３０と外部装置３１との接続は、例えば、互いの接続端子部同士を有線で接続することで達成され、また、双方がワイヤレスシステムを構成する無線設備を具備している場合は、無線にて接続される。
【００６０】
このような構成を有する本表示装置３０の動作を説明する。例えば、本表示装置３０における接続端子部１５に文字コード出力部を備えた外部装置３１が接続され、文字コード入力部１６に文字コード出力装置からの文字コード情報が入力されると、文字コード入力部１６は必要なデータ整形処理などを加えた後、入力された文字コードをフォント変換部１７と音声合成部１９とに出力する。
【００６１】
フォント変換部１７では、入力された文字コードを対応するフォントデータへと変換し、変換したフォントデータを映像信号入力部１４へと送る。映像信号入力部１４では、これを表示部１２・１３に送り、表示部駆動部１２・１３が、文字コードに対応する文字を表示部１ａに表示する。なお、このとき、接続端子部１５を介して本表示装置３０が外部装置３１としての映像信号出力装置と接続され、映像信号入力部１４に映像信号が入力されている場合は、映像信号入力部１４において、文字の画像が入力された映像信号の画像に合成され、文字は映像に重畳されて表示されることとなる。ここで、映像信号を出力する映像信号出力装置としての外部装置３１は、文字コード出力装置としての外部装置３１と同じである必要はない。
【００６２】
一方、音声合成部１９では、入力された文字コードを対応する音声データへと変換し、変換した音声データを音声デバイス駆動部２１へと送る。音声デバイス駆動部２１は、入力された音声データに基づいて音声デバイス２を駆動して音声出力させる。
【００６３】
上記動作により、例えば、「おはようございます。」という文字コードが外部装置より出力され、これが文字コード入力部１６から入力されると、表示部１ａには「おはようございます。」というフォントが表示されると共に、音声デバイス２からは「おはようございます」という、表示部のフォントを読み上げたような音声が出力されることとなる。
【００６４】
以上のように、本実施の形態の表示装置３０は、入力される文字コードに基づいて、外部装置３１側には何らの変更を要することなく、表示装置３０側の対応のみで、外部装置３１より入力された文字コードに対応する文字を表示部１ａに表示することに加えて、表示されている文字を読み上げた音声をも、文字コードに基づいて音声合成することで出力するようになっている。
【００６５】
したがって、ユーザは、外部装置３１からの文字コード入力だけで、文字表示に加えて表示を読み上げた音声までも聞くことができるので、視覚と同時に聴覚を用いて文字を確認することができ、利便性の高い表示装置となる。
【００６６】
特に、目の不自由なユーザにとっては、従来、外部装置３１が文字コード情報と共にこれに対応する音声信号を出力する構成でない限り、外部装置３１からの情報を確認することはできなかったが、上記構成により、文字コード情報で出力された情報の内容を音声にて確認することができるので、情報を取得可能な外部装置の幅が広がり、非常に利便性の高い表示装置となる。
【００６７】
また、このような表示装置としての利便性の向上は、外部装置３１側では何らの変更を伴うことなく実現できるので、文字コードを出力可能な外部装置３１であれば、従来からの装置をそのまま使用して上記効果を得ることができ、汎用性に優れている。
【００６８】
そして、このような使い方を鑑みれば、本表示装置３０としては、軽量・薄型・小型の条件を満足する携帯型表示装置であって、ユーザが携帯先で必要に応じて外部装置３１の文字コード出力部を接続して使用するといった使い方が適している。
【００６９】
また、音声デバイス駆動部２１は、半導体素子等から構成されるため、音声デバイス２における圧電素子等とは一緒に作れず、別基板構成とする必要があるが、別基板からなる音声デバイス駆動部を音声デバイス２側に具備させると、音声デバイス２自体の大型化は否めず、周縁部１ｂを大きくすることなく音声デバイス２を周縁部１ｂに配設することが難しくなる。ひいては表示装置３０自体が大型化し、汎用性、携帯性、利便性を損なう。
【００７０】
主たる情報処理機能を備えた従来型汎用情報処理機器を応用することが困難な用途環境において特に本発明による効果を得ることができると考えられるため、本表示装置３０においては、音声デバイス駆動部２１を、液晶パネル１の上記した薄膜基板１０上に形成している。これにより、音声デバイス２を薄く・小さく・細く形成することが可能となり、音声デバイス２を本表示装置３０における額縁部に問題なく配置可能となる。また、別基板を必要としない分、コスト削減も可能となり、ＩＣなどの独立回路部品の接合部の振動による剥離などの問題がなくなり電力ロス低減と信頼性向上にも寄与する。
【００７１】
そして、先の説明では言及していなかったが、音声デバイス駆動部２１だけでなく、図１を用いて説明した本表示装置３０の機能ブロックにおける音声デバイス２を除く各部材、つまり、表示部１ａ（正確には表示部１ａの画素駆動用素子や画素電極など（表示部の回路素子））、表示部駆動部１２・１３、映像信号入力部１４、文字コード入力部１６、フォント変換部１７、フォントメモリ１８、音声合成部１９、音声データメモリ２０、音声デバイス駆動部２１、接続端子部１５までが、液晶パネル１を構成する上述の薄膜基板１０に形成されている。
【００７２】
このように、液晶パネル１に含まれ、液晶パネル１の表示部１ａの画素駆動用回路素子が形成される薄膜基板１０に、表示部駆動部１２・１３を始めとして、薄膜素子にて構成される音声合成部１９や音声デバイス駆動部２１、フォント変換部１７、及びメモリ１８・２０を作り込むことで、表示装置３０としての外形を大きくすることなく、上記文字コードに基づく表示と音声出力とを実現させることができる。
【００７３】
また、本表示装置３０では具備させていないが、接続端子部１５を介して接続される外部装置からの音声信号入力を可能とする音声信号入力部をさらに設け、音声信号入力部に入力された音声信号にて、音声デバイス２を音声デバイス駆動部２１を介して駆動させる構成としてもよい。このような構成とすることで、外部装置から入力される音声信号に基づく音声も音声デバイスより出力されるので、映像信号と対で入力される音を楽しめるようになる。この音声信号入力部もまた薄膜基板１０の上に形成することもできる。
【００７４】
ここで、本表示装置３０の変形例を図５、図６を用いて説明する。図５は、変形例であるタッチパネルをさらに備えた表示装置４０の構成を示す構成図であり、図６は、該表示装置４０の機能ブロック図である。
【００７５】
図５に示すように、変形例の表示装置４０では、操作者の指示した位置に応じて電位の変化や電流変化を生じ、その変化を信号として出力するタッチパネル２５がさらに具備されている。タッチパネル２５は、液晶パネル１の表面側に、液晶パネル１の平面領域内に収まるように積層配置されている。
【００７６】
図６の機能ブロック図と図１の機能ブロック図とを比較するとよくわかるように、変形例の表示装置４０においては、タッチパネル２５に関わる処理回路として、信号処理部２３と、信号出力部２４と、文字認識部２２とが、さらに具備されている。
【００７７】
ここで、信号処理部２３は、タッチパネル２５から出力される信号を位置情報に変換するものであり、信号出力部２４は、信号処理部２３にて変換された位置情報を接続端子部１５に接続される他の外部装置へと出力すると共に、位置情報を文字認識部２２に入力するものである。
【００７８】
タッチパネル２５を用いて文字情報が手書きで入力されると、該文字情報が、信号処理部２３及び信号出力部２４を介して文字認識部２２に送られる。文字認識部２２では、文字情報をパターンマッチング等の技術を用いて照合して、手書き入力された文字情報を判別し、さらに、判別した文字を文字コードに変換して音声合成部１９へと送る。
【００７９】
音声合成部１９は、上述したように、文字コードを対応する音声データへと変換し、変換した音声データを音声デバイス駆動部２１へと送り音声デバイス２を駆動する。これにより、音声デバイス２からは、表示部１ａに手書き入力されて表示されている文字を読み上げた音声が出力されることとなる。
【００８０】
上記動作により、例えば、「おはようございます。」という文字をタッチパネル２５上で手書き入力すると、音声デバイス２からは「おはようございます」という音声が出力されることとなる。
【００８１】
また、文字認識部２２で得られた文字コードは文字コード入力部１６に与えることにより表示部１ａに同時に表示させる構成をとることも可能である。想定される外部装置の動作環境、規格に応じた構成を選択すればよい。
【００８２】
このように、上記変形例の表示装置４０では、タッチパネル２５を用いて手書き入力される文字を読み上げた音声までも手書き入力に併せて出力されるので、自分の記載した文字が正しく入力されているか否かを聴覚を用いて確認することができ、目の不自由なユーザだけでなく、全てのユーザにおいて、自分の書いた文字が正しく認識されたかどうかを、音声にて確認することができ、より一層利便性の高い表示装置となる。
【００８３】
なお、本実施の形態では、表示部を構成する表示素子として液晶を用いた液晶パネル１を例示したが、これに限定されるものではなく、薄膜基板を用いて作成される薄膜素子にて駆動可能な表示素子であればよい。そのような表示素子としては、例えばＥＬ(Electro Luminescence)素子や、圧電素子やマイクロマシンなどで可動の画素部を制御して入射光の反乱又は散乱の状態を変更することによって表示を行うものや、ＦＥＤ（Field Emission Display）方式を用いたものなどがある。
【００８４】
また、ここでは、表示素子に含まれる薄膜基板１０として、ポリシリコン薄膜を含む薄膜層を有したものを例示したが、これ以外に、ガラス基板上に連続粒界結晶珪素（ＣＧシリコン）薄膜を含む薄膜層が形成されているものを用いてもよい。非特許文献１には、ガラス基板上に８ビットのマイクロプロセッサを形成する技術が記載されている。これによれば、連続粒界結晶珪素（ＣＧシリコン）技術を用い、ガラス基板上にＣＧシリコンを含む薄膜層を形成している。ＣＧシリコンは、一般の低温多結晶シリコンに比べて、結晶粒が大きく境界が規則的であるという特徴を備える。電子移動度が２００〜３００ｃｍ２/Ｖｓと高いため、論理回路の高速動作が可能となる。この技術を用いることで、液晶を挟持する基板にマイクロプロセッサを作り込むことができる。
【００８５】
また、薄膜基板１０として、ガラス基板上にポリシリコン薄膜を含む薄膜層を有すると共に、単結晶シリコンからなる集積回路用能動素子が貼り合わされてなるものを用いることもできる。単結晶シリコンの貼り合わせ技術については、例えば特許文献５に記載されている。
【００８６】
そして、特に、薄膜基板１０に別基板に形成した能動素子を貼り付けるにおいては、能動素子を含む別基板が水素イオン注入部を有し、水素イオン注入部を有する該別基板を上記薄膜基板１０上に貼り合わせ、該別基板を熱処理する、水素イオン剥離法を用いた貼り合わせが好ましい。
【００８７】
能動素子を別基板上に形成し、これを薄膜基板１０に貼り付けるにおいて、接着剤を用いて貼りあわせる方法などもあるが、面倒な貼り付け作業が必要であり、また、接着剤の耐熱性が問題となるため、能動素子を貼り付けた後に実施可能な工程が制限されたりする。これに対し、水素イオン剥離法を用いた貼り合わせでは、接着剤を用いないので、このような問題が一切ない。
【００８８】
ここで、水素イオン剥離法でＭＯＳ型の単結晶シリコン薄膜トランジスタを貼り付ける例を説明する。貼り合わされる側の基板である単結晶シリコン基板には、表面にＭＯＳ型の単結晶シリコン薄膜トランジスタの一部を形成する酸化膜、ゲートパターン、不純物イオン注入部が形成され、かつ、表面から所定の深さに水素イオン注入部が設けられている。このような単結晶シリコン基板を、絶縁基板に対して酸化膜側において接合し、熱処理する。熱処理することで、基板間の接合が原子同士の結合に変わり強固な接合となると共に、水素イオン注入部において劈開剥離（熱処理により）が起こり、単結晶シリコン基板における不要部分が除去される。これにより、接着剤を使用しなくても容易にＭＯＳ型の単結晶シリコン薄膜トランジスタを、絶縁性基板上に貼り付けることができる。
【００８９】
［実施の形態２］
本発明に係る実施の他の形態について図７に基づいて説明すると以下の通りである。なお、説明の便宜上、実施の形態１と同じ機能を有する部材には同じ参照符号を付して、その説明を省略する。
【００９０】
本実施の形態に係る表示装置も、表示素子としての液晶パネル１、及び音声出力素子としての音声デバイス２を備え、図２、図３に示すような構成並びに外観を有し、音声デバイス２が液晶パネル１における周縁部１ｂなどに配置されているなど、大凡の構成は同じである。したがって、ここでは、実施の形態１の表示装置３０と異なる点のみを説明する。
【００９１】
図７に、本表示装置４１の機能ブロック図を示す。図１に示した構成では、フォント変換部１７より出力されるフォントデータは、映像信号入力部１４に入力され、ここで外部より入力された映像信号の画像と合成されて表示部駆動部１３に送られるようになっていた。これに対し、図７に示すように、本実施の形態の表示装置４１では、表示部駆動部１３（第１信号線駆動回路）と表示部１ａを介して対峙するスーパーインポーズ駆動部（第２信号線駆動回路）２７が設けられており、このスーパーインポーズ駆動部２７にフォントデータが直接入力されるようになっている。
【００９２】
スーパーインポーズ駆動部２７は、表示部駆動部１２における走査の帰線期間を利用して、表示部駆動部１３にて書き込まれた、映像信号入力部１４に入力された映像信号に基づく主画面上に直接描画データを重畳するものである。このようなスーパーインポーズ駆動部２７は、表示部駆動部１３と同じ工程で作られ、表示部駆動部１３と同様に、薄膜基板１０上にモノリシック形成されている。
【００９３】
スーパーインポーズ駆動部２７は、表示部１ａにおける複数の信号線ＳＬ…を、表示部駆動部１３と共有しており、表示部駆動部１３が駆動し終わった信号線ＳＬを、さらに駆動することで、フォントデータによる映像（フォント表示）を、主画面上に重畳する。なお、主たる信号線駆動回路とは別に、スーパーインポーズのための別の信号線駆動回路を設けてスーパーインポーズ駆動を行う詳細は、例えば特許文献６〜８に記載されており、このような手法を用いることができる。
【００９４】
これにより、複数の画像を同時表示する場合の周辺回路の複雑さを解消でき、特殊な変換回路やメモリ等を必要としないので、付加回路を低減し、実施の形態１の構成よりもさらにこの表示装置を小型化・薄型化でき、理想的なカードサイズに仕上げることが可能になる。
【００９５】
また、本表示装置においても、上記した実施の形態１の変形例と同様に、タッチパネル２５を具備させ、図７の機能ブロック図に示した薄膜基板１０に、さらに信号処理部２３、信号出力部２４を形成し、信号出力部２４の出力を文字認識部２２に入力させることで、タッチパネル２５を用いて手書き入力される文字を読み上げた音声までも手書き入力に併せて出力される、より一層利便性の高い表示装置とできる。そして、信号出力部２４の出力信号は、文字認識部２２と同時にスーパーインポーズ駆動部そして２７に与える構成をとることもできる。
【００９６】
なお、本実施の形態でも、使用可能な表示素子や薄膜基板は、実施の形態１と同じであるので、ここではこれ以上の説明は行わない。
【００９７】
［実施の形態３］
本発明に係る実施の他の形態について図８、図９に基づいて説明すると以下の通りである。なお、説明の便宜上、実施の形態１と同じ機能を有する部材には同じ参照符号を付して、その説明を省略する。
【００９８】
本実施の形態に係る表示装置３２も、表示素子としての液晶パネル１、及び音声出力素子としての音声デバイス２を備え、図２、図３に示すような構成並びに外観を有し、音声デバイス２が液晶パネル１における周縁部１ｂなどに配置されているなど、大凡の構成は同じである。したがって、ここでは、実施の形態１の表示装置３０と異なる点のみを説明する。
【００９９】
図８に、本表示装置３２の機能ブロック図を示す。本表示装置３２は、機能的には、表示部１ａと、表示部駆動部１２・１３と、映像信号入力部１４’と、文字認識部２２と、音声合成部１９と、音声データメモリ２０と、音声デバイス駆動部２１と、接続端子部１５と、音声デバイス２とからなる。つまり、実施の形態１の表示装置における文字コード入力部１６、フォント変換部１７、及びフォントメモリ１８に換えて、文字認識部２２が搭載されると共に、映像信号入力部１４に換えて映像信号入力部１４’を具備した構成である。
【０１００】
ここでは、映像信号入力部１４’と表示部駆動部１２・１３にて表示制御部が構成され、音声合成部１９及び音声データメモリ２０にて音声出力制御部が構成されている。
【０１０１】
本表示装置３２では、映像信号入力部１４’が、接続端子部１５を介して接続される様々な外部装置３３（図９参照）から入力される映像信号（制御信号を含む）を、表示部駆動部１２・１３へと送る一方、文字認識部２２にも送るようになっている。表示部駆動部１２・１３は、映像信号入力部１４’より入力された映像信号を処理して、表示部１ａを駆動して映像を表示する。
【０１０２】
一方、文字認識部２２では、映像信号入力部１４’より入力された映像信号中に文字情報（文字の形状の部分）があれば、その文字情報を抽出し、パターンマッチング等の技術を用いて文字情報を判別する。そして、さらに判別した文字情報を文字コードに変換して音声合成部１９へと送る。
【０１０３】
音声合成部１９は、上述したように、入力された文字コードを対応する音声データへと変換し、変換した音声データを音声デバイス駆動部２１へと送り音声デバイス２を駆動する。これにより、音声デバイス２からは、表示部１ａに表示されている映像に含まれる文字情報を読み上げた音声が出力される。
【０１０４】
上記動作により、例えば、「おはようございます。」という文字情報が外部装置から送られてきた映像信号中に含まれていて、映像信号入力部１４から入力されると、表示部１ａには「おはようございます。」という文字情報を含んだ映像信号の映像が表示されると共に、音声デバイス２からは「おはようございます」という、文字情報を読み上げたような音声が出力されることとなる。
【０１０５】
図９に、このような構成を有する本表示装置３２が外部装置３３とで構成するシステム全体の構成図を示す。外部装置３３としては、電子写真機、電子撮像機、録画ビデオ媒体再生機（テープ、ＤＶＤなど）、放送受信機、通信機（業務無線機、加入電話機、携帯電話などを含む）ビデオ端末出力を有する情報機器（パーソナルコンピュータなど）、電子書籍情報表示器（辞書検索専用機などを含む）インターネット放送通信用セットトップボックスなどがあり、外部装置３３が例えば別の当該外部装置専用の表示装置を具備していてもよく、映像信号出力部を備えた映像信号出力装置でさえあれば、該システムを構成し得る。
【０１０６】
本表示装置３２と外部装置３３との接続は、例えば、互いの接続端子部同士を有線で接続することで達成される。また、双方がワイヤレスシステムを構成する無線設備を具備している場合は、無線にて接続されることとなる。
【０１０７】
このように、本表示装置３２は、入力される映像信号に基づいて、外部装置３３側には何らの変更を要することなく、表示装置３２側の対応のみで、外部装置３３より入力された映像信号を表示部１ａに表示することに加えて、映像に含まれる文字を読み上げた音声をも、映像信号から文字情報を抽出し、文字コードに変換することで文字コードに基づいた音声を合成して出力するようになっている。
【０１０８】
したがって、ユーザは、外部装置３３からの映像信号入力だけで、その映像信号に基づく映像表示に加えて、映像中に含まれる文字を読み上げた音声までも聞くことができるので、視覚と同時に聴覚を用いて文字を確認することができ、利便性の高い表示装置となる。
【０１０９】
特に、目の不自由なユーザにとっては、従来、外部装置３３が映像信号とこれに含まれる文字を読み上げた音声信号を出力する構成でない限り、外部装置３３からの情報を取得することはできなかったが、上記構成により、映像信号として出力された文字にて表される情報を音声にて確認することができるので、情報の取得可能な外部装置の幅が広がり、非常に利便性の高い表示装置となる。
【０１１０】
また、このような表示装置としての利便性の向上は、外部装置３３側では何らの変更を伴うことなく実現できるので、映像信号を出力可能な外部装置３３であれば、従来からの装置をそのまま使用して上記効果を得ることができ、汎用性に優れている。
【０１１１】
そして、このような使い方を鑑みれば、本表示装置３２としては、軽量・薄型・小型の条件を満足する携帯型表示装置であって、ユーザが携帯先で必要に応じて外部装置３３の映像信号出力部を接続して使用するといった使い方が適しているとも考えられる。
【０１１２】
また、本実施の形態においても、音声デバイス駆動部２１だけでなく、図８を用いて説明した本表示装置３２の機能ブロックにおける音声デバイス２を除く各部材、つまり、表示部１ａ（正確には表示部１ａの画素駆動用素子や画素電極など（表示部の回路素子））、表示部駆動部１２・１３、映像信号入力部１４、文字認識部２２、音声合成部１９、音声データメモリ２０、音声デバイス駆動部２１、接続端子部１５までが、液晶パネル１を構成する上述の薄膜基板１０に形成されている。
【０１１３】
したがって、実施の形態１の表示装置３０と同様、液晶パネル１に含まれ、液晶パネル１の表示部１ａの画素駆動用回路素子が形成される薄膜基板１０に、表示部駆動部１２・１３を始めとして、薄膜素子にて構成される音声合成部１９や音声デバイス駆動部２１、文字認識部２２を作り込むことで、表示装置３２としての形状を大きくすることなく、映像信号に基づく映像と、該映像中の文字の音声出力とを実現させることができる。
【０１１４】
また、本表示装置３２でも具備させていないが、接続端子部１５を介して接続される外部装置からの音声信号入力を可能とする音声信号入力部をさらに上記薄膜基板１０に形成して、音声信号入力部に入力された音声信号にて、音声デバイス２を音声デバイス駆動部２１を介して駆動させる構成としてもよい。このような構成とすることで、外部装置から入力される音声信号に基づく音声も音声デバイスより出力されるので、映像信号と対で入力され音声等を楽しむこともできる。
【０１１５】
また、本表示装置３２においても、上記した実施の形態１の変形例と同様に、タッチパネル２５を具備させ、図８の機能ブロック図に示した薄膜基板１０に、さらに信号処理部２３、信号出力部２４を形成し、信号出力部２４の出力を文字認識部２２に入力させることで、タッチパネル２５を用いて手書き入力される文字を読み上げた音声までも手書き入力に併せて出力される、より一層利便性の高い表示装置とできる。信号出力部２４の出力信号は、文字認識部２２と同時に映像信号入力部１４’に与える構成をとることもできる。
【０１１６】
なお、本実施の形態でも、使用可能な表示素子や薄膜基板は、実施の形態１と同じであるので、ここではこれ以上の説明は行わない。
【０１１７】
また、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【産業上の利用可能性】
【０１１８】
システムの機能の大部分を外部装置（サーバ）に依存する形で表示装置だけを単独の装置あるいは機器として利用する表示装置に用いることができる。この表示装置に対して文字コード情報を出力する外部装置としては、さん孔媒体（テープ、カードなど）読みとり機、磁気媒体読みとり機、光学媒体読みとり機（円盤媒体、汎用スキャナなどを含む）、光学文字読みとり機（ＯＣＲ）、放送受信機、通信機（業務無線機、加入電話機、携帯電話などを含む）、文書編集機、電子書籍情報表示器（辞書検索専用機などを含む）インターネット放送通信用セットトップボックスなどがある。また、この表示装置に対して映像信号を出力する外部装置としては、電子写真機、電子撮像機、録画ビデオ媒体再生機（テープ、ＤＶＤなど）、放送受信機、通信機（業務無線機、加入電話機、携帯電話などを含む）ビデオ端末出力を有する情報機器（パーソナルコンピュータなど）、電子書籍情報表示器（辞書検索専用機などを含む）インターネット放送通信用セットトップボックスなどがある。
【図面の簡単な説明】
【０１１９】
【図１】本発明の第１の実施の形態を示すものであり、表示装置の機能ブロック図である。
【図２】図１の表示装置の構成を示す斜視図である。
【図３】図１の表示装置の外観図である。
【図４】図１の表示装置と外部装置とで構成されるシステム全体を示す図面である。
【図５】本発明の第１の実施の形態の変形例を示すもので、表示装置の構成を示す斜視図である。
【図６】図５の変形例の表示装置の機能ブロック図である。
【図７】本発明の第２の実施の形態を示すものであり、表示装置の機能ブロック図である。
【図８】本発明の第３の実施の形態を示すものであり、表示装置の機能ブロック図である。
【図９】図８の表示装置と外部装置とで構成されるシステム全体を示す図面である。
【符号の説明】
【０１２０】
１      液晶パネル（表示素子、表示部）
１ａ    表示部
２      音声デバイス（音源素子）
１０      薄膜基板
１２      表示部駆動部（表示制御部・表示部駆動回路・走査線駆動回路）
１３      表示部駆動部（表示制御部・表示部駆動回路・信号線駆動回路
・第１信号線駆動回路）
１４      映像信号入力部（映像信号入力部・表示制御部）
１６      文字コード入力部
１７      フォント変換部（表示制御部）
１８      フォントデータメモリ（表示制御部）
１９      音声合成部（音声出力制御部）
２０      音声データメモリ（音声出力制御部）
２１      音声デバイス駆動部（音源素子駆動部）
２２      文字認識部
２５      タッチパネル
２３      信号処理部
２４      信号出力部
２７      スーパーインポーズ駆動部（信号線駆動回路・第２信号線駆動回路）
３０      表示装置
３１      外部装置
３２      表示装置
３３      外部装置
４０      表示装置
４１      表示装置
【図１】
2005202801.tif 000003
【図２】
2005202801.tif 000004
【図３】
2005202801.tif 000005
【図４】
2005202801.tif 000006
【図５】
2005202801.tif 000007
【図６】
2005202801.tif 000008
【図７】
2005202801.tif 000009
【図８】
2005202801.tif 000010
【図９】
2005202801.tif 000011
【手続補正書】
【提出日】平成17年4月1日(2005.4.1)
【手続補正１】
【補正対象書類名】特許請求の範囲
【補正対象項目名】全文
【補正方法】変更
【補正の内容】
【特許請求の範囲】
【請求項１】
外部装置をホストとするクライアント機器の携帯型表示装置であって、
表示部と、
音声出力部と、
上記外部装置からの文字コードの入力を受け付ける文字コード入力部と、
文字コードに対応する文字を上記表示部に表示する表示制御部と、
文字コードに対応する音声を上記音声出力部より出力する音声出力制御部とを備え、
上記文字コード入力部は、上記外部装置から入力された文字コードを上記表示制御部と上記音声出力制御部とに出力し、
上記外部装置から入力された文字コードに対応する文字が上記表示部に表示されると共に、上記外部装置から入力された文字コードに対応する音声が上記音声出力部から出力されることを特徴とする表示装置。
【請求項２】
装置外部から映像信号が入力される映像信号入力部を備え、
上記表示制御部は、上記映像信号入力部に入力された映像信号に基づく映像を上記表示部に表示すると共に、上記文字コードに対応する文字を該映像に重畳させて表示することを特徴とする請求項１に記載の表示装置。
【請求項３】
上記表示部は、複数列設された走査線と、該複数の走査線に交差するように複数列設された信号線とを有し、
上記表示制御部は、上記表示部を駆動する表示部駆動回路として、上記複数の走査線に走査信号を順次供給する走査線駆動回路と、上記複数の信号線に映像信号を供給する信号線駆動回路とを有し、かつ、該信号線駆動回路が、上記映像信号入力部に入力された映像信号が入力される第１信号線駆動回路と、上記文字コードに対応する文字を表示させるための映像信号が入力される第２信号線駆動回路とで構成され、これら第１信号線駆動回路と第２信号線駆動回路とは、上記複数の信号線を共有していることを特徴とする請求項２に記載の表示装置。
【請求項４】
上記表示部は薄膜素子で駆動可能な表示素子にて構成され、
該表示素子に含まれる、画素駆動用回路素子が形成される薄膜基板に、上記文字コード入力部、上記表示制御部、及び上記音声出力制御部が、直接形成されているか、或いは別基板上に形成した能動素子を貼り合わせることで形成されていることを特徴とする請求項１に記載の表示装置。
【請求項５】
上記表示部は薄膜素子で駆動可能な表示素子にて構成され、
該表示素子に含まれる、画素駆動用回路素子が形成される薄膜基板に、上記文字コード入力部、上記映像信号入力部、上記表示制御部、及び上記音声出力制御部が、直接形成されているか、或いは別基板上に形成した能動素子を貼り合わせることで形成されていることを特徴とする請求項２又は３に記載の表示装置。
【請求項６】
外部装置をホストとするクライアント機器の携帯型表示装置であって、
表示部と、
音声出力部と、
上記外部装置からの映像信号の入力を受け付ける映像信号入力部と、
映像信号に基づいて映像を上記表示部に表示する表示制御部と、
映像信号に含まれる文字を抽出して認識し、文字コードに変換する文字認識部と、
文字コードに対応する音声を上記音声出力部より出力する音声出力制御部とを備え、
上記映像信号入力部は、上記外部装置から入力された映像信号を上記表示制御部と上記文字認識部とに出力する一方、上記文字認識部は上記映像信号入力部から出力された映像信号に含まれる文字を文字コードに変換して音声出力制御部に出力し、
上記外部装置から入力された映像信号に基づく映像が上記表示部に表示されると共に、上記外部装置から入力された映像信号に含まれ、上記文字認識部にて認識された文字コードに対応する音声が上記音声出力部から出力されることを特徴とする表示装置。
【請求項７】
上記表示部は薄膜素子で駆動可能な表示素子にて構成され、
該表示素子に含まれる、画素駆動用回路素子が形成される薄膜基板に、上記映像信号入力部、上記表示制御部、上記文字認識部、及び上記音声出力制御部が、直接形成されているか、或いは別基板上に形成した能動素子を貼り合わせることで形成されていることを特徴とする請求項６に記載の表示装置。
【請求項８】
上記音声出力部を構成する音源素子は、上記表示部を構成する表示素子の平面領域内に収まるように積層して配され、上記表示素子を振動させて音を発生させることを特徴とする請求項４、５又は７の何れかに記載の表示装置。
【請求項９】
上記音源素子を駆動する音源素子駆動部も、上記薄膜基板に、直接形成されているか、或いは別基板上に形成した能動素子を貼り合わせることで形成されていることを特徴とする請求項８に記載の表示装置。
【請求項１０】
上記薄膜基板は、多結晶珪素薄膜を含む薄膜層を有することを特徴とする請求項４、５又は７に記載の表示装置。
【請求項１１】
上記薄膜基板は、連続粒界結晶珪素薄膜を含む薄膜層を有することを特徴とする請求項４、５又は７に記載の表示装置。
【請求項１２】
上記薄膜基板への別基板に形成した能動素子の貼り付けは、該能動素子を含む上記別基板が水素イオン注入部を有しており、該水素イオン注入部が形成された上記別基板を上記薄膜基板に貼り合わせた後、該別基板を熱処理することでなされていることを特徴とする請求項４、５、７又は９に記載の表示装置。
【請求項１３】
上記表示部が液晶を用いて表示を行うことを特徴とする請求項１〜１２のいずれかに記載の表示装置。
【請求項１４】
上記表示部がＥＬ層を用いて表示を行うことを特徴とする請求項１〜１２のいずれかに記載の表示装置。